(57)【特許請求の範囲】
【請求項１】
無線通信システムにおいてアップリンク信号を伝送する方法であって、前記方法は、
リソース割当情報を含む制御チャネル信号を受信することであって、前記リソース割当情報は、２つのリソースブロックセットを指示するのに用いられる組み合わせインデックスｒを含み、前記２つのリソースブロックセットはそれぞれ、一つ以上の連続したＲＢＧ（Ｒｅｓｏｕｒｃｅ  Ｂｌｏｃｋ  Ｇｒｏｕｐ）を含む、ことと、
前記２つのリソースブロックセットを用いて、前記アップリンク信号を伝送することと
を含み、
前記組み合わせインデックスｒは、以下の数学式により与えられ、
【数１】
0005406382.tif 000198
Ｍ’は４であり、
Ｎは、ＲＢＧの個数＋１であり、
【数２】
0005406382.tif 000199
を満たし、
ｓ０及びｓ１−１は、前記２つのリソースブロックセットのうちの第１リソースブロックセットの開始ＲＢＧインデックス及び終了ＲＢＧインデックスを指示し、
ｓ２及びｓ３−１は、前記２つのリソースブロックセットのうちの第２リソースブロックセットの開始ＲＢＧインデックス及び終了インデックスを指示し、
【数３】
0005406382.tif 000200
を表す、方法。
【請求項２】
Ｎは、以下の数学式により与えられ、
【数４】
0005406382.tif 000201
【数５】
0005406382.tif 000202
は、アップリンク帯域のリソースブロック個数を表し、
Ｐは、ＲＢＧを構成するリソースブロック個数を表し、
【数６】
0005406382.tif 000203
は、切上げ関数を表す、請求項１に記載の方法。
【請求項３】
前記制御チャネル信号は、ＰＤＣＣＨ（Ｐｈｙｓｉｃａｌ  Ｄｏｗｎｌｉｎｋ  Ｃｏｎｔｒｏｌ Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、請求項１に記載の方法。
【請求項４】
無線通信システムに使用される通信装置であって、前記通信装置は、
ＲＦ（Ｒａｄｉｏ  Ｆｒｅｑｕｅｎｃｙ）ユニットと、
メモリーと、
前記メモリーに連結されたプロセッサと
を含み、
前記プロセッサは、
リソース割当情報を含む制御チャネル信号を受信することであって、前記リソース割当情報は、２つのリソースブロックセットを指示するのに用いられる組み合わせインデックスｒを含み、前記２つのリソースブロックセットはそれぞれ、一つ以上の連続したＲＢＧ（Ｒｅｓｏｕｒｃｅ  Ｂｌｏｃｋ  Ｇｒｏｕｐ）を含む、ことと、
前記２つのリソースブロックセットを用いて、アップリンク信号を伝送することと
を実行するように構成され、
前記組み合わせインデックスｒは、以下の数学式により与えられ、
【数７】
0005406382.tif 000204
Ｍ’は４であり、
Ｎは、ＲＢＧの個数＋１であり、
【数８】
0005406382.tif 000205
を満たし、
ｓ０及びｓ１−１は、前記２つのリソースブロックセットのうちの第１リソースブロックセットの開始ＲＢＧインデックス及び終了ＲＢＧインデックスを指示し、
ｓ２及びｓ３−１は、前記２つのリソースブロックセットのうちの第２リソースブロックセットの開始ＲＢＧインデックス及び終了インデックスを指示し、
【数９】
0005406382.tif 000206
を表す、通信装置。
【請求項５】
Ｎは、以下の数学式により与えられ、
【数１０】
0005406382.tif 000207
【数１１】
0005406382.tif 000208
は、アップリンク帯域のリソースブロック個数を表し、
Ｐは、ＲＢＧを構成するリソースブロック個数を表し、
【数１２】
0005406382.tif 000209
は、切上げ関数を表す、請求項４に記載の通信装置。
【請求項６】
前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、請求項４に記載の通信装置。
【発明の詳細な説明】
【技術分野】
【０００１】
本発明は、無線通信システムに係り、特に、不連続的なアップリンクリソース割当のための方法及びそのための装置に関するものである。
【背景技術】
【０００２】
無線通信システムが音声やデータなどのような種々の通信サービスを提供するために広範囲に展開されている。一般に、無線通信システムは、可用のシステムリソース（帯域幅、伝送パワー等）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいてリソースを効率的に割り当てる方法及びそのための装置を提供することにある。本発明の他の目的は、アップリンク信号の伝送のために不連続的にリソースを割り当てる方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明らかになるであろう。
【課題を解決するための手段】
【０００５】
本発明の一様相として、無線通信システムにおいてアップリンク信号を伝送する方法であって、リソース割当情報を含む制御チャネル信号を受信する段階と、前記制御チャネル信号に応じてアップリンク信号を伝送する段階と、を含み、前記リソース割当情報は、２つのリソースブロックセットを指示するのに用いられる組み合わせインデックス
【０００６】
【化１】
0005406382.tif 000002
を有し、それぞれのリソースブロックセットは、一つ以上の連続したリソースブロックグループ（Ｒｅｓｏｕｒｃｅ  Ｂｌｏｃｋ  Ｇｒｏｕｐ、ＲＢＧ）を含み、前記組み合わせインデックス
【０００７】
【化２】
0005406382.tif 000003
は、下記の数学式により与えられる方法が提供される：
数学式
【０００８】
【化３】
0005406382.tif 000004
ここで、
【０００９】
【化３−１】
0005406382.tif 000005
は４であり、
【００１０】
【化３−２】
0005406382.tif 000006
は、ＲＢＧの個数＋１であり、ｓ０とｓ１は、第１リソースブロックセットの開始ＲＢＧインデックスと終了ＲＢＧインデックスに対応し、ｓ２とｓ３は、第２リソースブロックセットの開始ＲＢＧインデックスと終了ＲＢＧインデックスに対応し、
【００１１】
【化４】
0005406382.tif 000007
を表す。
【００１２】
本発明の他の様相として、無線通信システムに使用される通信装置であって、無線周波数（Ｒａｄｉｏ  Ｆｒｅｑｕｅｎｃｙ、ＲＦ）ユニットと、プロセッサと、を含み、前記プロセッサは、リソース割当情報を含む制御チャネル信号を受信し、前記制御チャネル信号に応じてアップリンク信号を伝送するように構成され、前記リソース割当情報は、２つのリソースブロックセットを指示するのに用いられる組み合わせインデックス
【００１３】
【化５】
0005406382.tif 000008
を有し、それぞれのリソースブロックセットは、一つ以上の連続したリソースブロックグループ（Ｒｅｓｏｕｒｃｅ  Ｂｌｏｃｋ  Ｇｒｏｕｐ、ＲＢＧ）を含み、前記組み合わせインデックス
【００１４】
【化６】
0005406382.tif 000009
は、下記の数学式により与えられる、通信装置が提供される：
数学式
【００１５】
【化７】
0005406382.tif 000010
ここで、
【００１６】
【化７−１】
0005406382.tif 000011
は４であり、
【００１７】
【化７−２】
0005406382.tif 000012
は、ＲＢＧの個数＋１であり、ｓ０とｓ１は、第１リソースブロックセットの開始ＲＢＧインデックスと終了ＲＢＧインデックスに対応し、ｓ２とｓ３は、第２リソースブロックセットの開始ＲＢＧインデックスと終了ＲＢＧインデックスに対応し、
【００１８】
【化８】
0005406382.tif 000013
を表す。
【００１９】
好適には、前記第１リソースブロックセットの開始及び終了ＲＢＧインデックスはそれぞれ、ｓ０及びｓ１−１であり、前記第２リソースブロックセットの開始及び終了ＲＢＧインデックスはそれぞれ、ｓ２及びｓ３−１である。
【００２０】
好適には、
【００２１】
【化９】
0005406382.tif 000014
を満たす。
【００２２】
好適には、
【００２３】
【化９−１】
0005406382.tif 000015
は、下記の数学式により与えられる：
数学式
【００２４】
【化１０】
0005406382.tif 000016
ここで、
【００２５】
【化１１】
0005406382.tif 000017
は、アップリンク帯域のリソースブロック個数を表し、
【００２６】
【化１１−１】
0005406382.tif 000018
は、ＲＢＧを構成するリソースブロック個数を表し、
【００２７】
【化１２】
0005406382.tif 000019
は、切上げ（ｃｅｉｌｉｎｇ）関数を表す。
【００２８】
好適には、前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である。
【００２９】
本発明のさらに他の様相として、無線通信システムにおいてアップリンク信号を伝送する方法であって、リソース割当情報を含む制御チャネル信号を受信する段階と、前記制御チャネル信号に応じてアップリンク信号を伝送する段階と、を含み、前記リソース割当情報は、複数のリソースインデックスから選択された２つ以上のリソースインデックス対に対応する組み合わせインデックスを表し、それぞれのリソースインデックス対は、連続して割り当てられたリソースセットの開始（ｓｔａｒｔｉｎｇ）リソースインデックス及び終了（ｅｎｄｉｎｇ）リソースインデックスに対応する、方法が提供される。
【００３０】
本発明のさらに他の様相として、無線通信システムに使用される通信装置であって、無線周波数（Ｒａｄｉｏ  Ｆｒｅｑｕｅｎｃｙ、ＲＦ）ユニットと、プロセッサと、を含み、前記プロセッサは、リソース割当情報を含む制御チャネル信号を受信し、前記制御チャネル信号に応じてアップリンク信号を伝送するように構成され、前記リソース割当情報は、複数のリソースインデックスから選択された２つ以上のリソースインデックス対に対応する組み合わせインデックスを表し、それぞれのリソースインデックス対は、連続して割り当てられたリソースセットの開始（ｓｔａｒｔｉｎｇ）リソースインデックス及び終了（ｅｎｄｉｎｇ）リソースインデックスに対応する、通信装置が提供される。
【００３１】
好適には、それぞれのリソースインデックス対は、第１リソースインデックスと第２リソースインデックスで構成され、前記第１リソースインデックスは、前記開始リソースインデックスを表し、前記第２リソースインデックスは、前記終了リソースインデックス＋１を表す。
【００３２】
好適には、前記複数のリソースインデックスは、１個の仮想リソースインデックスを含む。
【００３３】
好適には、前記複数のリソースインデックスのうち、最後のリソースインデックスが仮想リソースインデックスである。
【００３４】
好適には、前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である。
（項目１）
無線通信システムにおいてアップリンク信号を伝送する方法であって、
リソース割当情報を含む制御チャネル信号を受信し、
前記制御チャネル信号に応じてアップリンク信号を伝送すること
を含み、
前記リソース割当情報は、２つのリソースブロックセットを指示するのに用いられる組み合わせインデックス
【化１５０】
0005406382.tif 000020
を有し、それぞれのリソースブロックセットは、一つ以上の連続したリソースブロックグループ（Ｒｅｓｏｕｒｃｅ  Ｂｌｏｃｋ  Ｇｒｏｕｐ、ＲＢＧ）を含み、
前記組み合わせインデックス
【化１５１】
0005406382.tif 000021
は、下記の数学式により与えられる方法：
数学式
【化１５２】
0005406382.tif 000022
ここで、
【化１５３】
0005406382.tif 000023
は４であり、
【化１５４】
0005406382.tif 000024
は、ＲＢＧの個数＋１であり、
ｓ０とｓ１は、第１リソースブロックセットの開始ＲＢＧインデックスと終了ＲＢＧインデックスに対応し、
ｓ２とｓ３は、第２リソースブロックセットの開始ＲＢＧインデックスと終了ＲＢＧインデックスに対応し、
【化１５５】
0005406382.tif 000025
を表す。
（項目２）
前記第１リソースブロックセットの開始及び終了ＲＢＧインデックスはそれぞれ、ｓ０及びｓ１−１であり、
前記第２リソースブロックセットの開始及び終了ＲＢＧインデックスはそれぞれ、ｓ２及びｓ３−１である、項目１に記載の方法。
（項目３）
【化１５６】
0005406382.tif 000026
を満たす、項目１に記載の方法、
（項目４）
【化１５７】
0005406382.tif 000027
は、下記数学式により与えられる、項目１に記載の方法：
数学式
【化１５８】
0005406382.tif 000028
ここで、
【化１５９】
0005406382.tif 000029
は、アップリンク帯域のリソースブロック個数を表し、
【化１６０】
0005406382.tif 000030
は、ＲＢＧを構成するリソースブロック個数を表し、
【化１６１】
0005406382.tif 000031
は、切上げ（ｃｅｉｌｉｎｇ）関数を表す。
（項目５）
前記制御チャネル信号は、ＰＤＣＣＨ（Ｐｈｙｓｉｃａｌ  Ｄｏｗｎｌｉｎｋ  ＣｏｎｔｒｏｌＣｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、項目１に記載の方法。
（項目６）
無線通信システムに使用される通信装置であって、
無線周波数（Ｒａｄｉｏ  Ｆｒｅｑｕｅｎｃｙ、ＲＦ）ユニットと、
プロセッサと、
を含み、
前記プロセッサは、リソース割当情報を含む制御チャネル信号を受信し、前記制御チャネル信号に応じてアップリンク信号を伝送するように構成され、
前記リソース割当情報は、２つのリソースブロックセットを指示するのに用いられる組み合わせインデックス
【化１６２】
0005406382.tif 000032
を有し、それぞれのリソースブロックセットは、一つ以上の連続したリソースブロックグループ（Ｒｅｓｏｕｒｃｅ  Ｂｌｏｃｋ  Ｇｒｏｕｐ、ＲＢＧ）を含み、
前記組み合わせインデックス
【化１６３】
0005406382.tif 000033
は、下記の数学式により与えられる、通信装置：
数学式
【化１６４】
0005406382.tif 000034
ここで、
【化１６５】
0005406382.tif 000035
は４であり、
【化１６６】
0005406382.tif 000036
は、ＲＢＧの個数＋１であり、
ｓ０とｓ１は、第１リソースブロックセットの開始ＲＢＧインデックスと終了ＲＢＧインデックスに対応し、
ｓ２とｓ３は、第２リソースブロックセットの開始ＲＢＧインデックスと終了ＲＢＧインデックスに対応し、
【化１６７】
0005406382.tif 000037
を表す。
（項目７）
前記第１リソースブロックセットの開始及び終了ＲＢＧインデックスはそれぞれ、ｓ０及びｓ１−１であり、
前記第２リソースブロックセットの開始及び終了ＲＢＧインデックスはそれぞれ、ｓ２及びｓ３−１である、項目６に記載の通信装置。
（項目８）
【化１６８】
0005406382.tif 000038
を満たす、項目６に記載の通信装置、
（項目９）
【化１６９】
0005406382.tif 000039
は、下記の数学式により与えられる、項目６に記載の通信装置：
数学式
【化１７０】
0005406382.tif 000040
ここで、
【化１７１】
0005406382.tif 000041
は、アップリンク帯域のリソースブロック個数を表し、
【化１７２】
0005406382.tif 000042
は、ＲＢＧを構成するリソースブロック個数を表し、
【化１７３】
0005406382.tif 000043
は、切上げ（ｃｅｉｌｉｎｇ）関数を表す。
（項目１０）
前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、項目６に記載の通信装置。
（項目１１）
無線通信システムにおいてアップリンク信号を伝送する方法であって、
リソース割当情報を含む制御チャネル信号を受信し、
前記制御チャネル信号に応じてアップリンク信号を伝送すること
を含み、
前記リソース割当情報は、複数のリソースインデックスから選択された２つ以上のリソースインデックス対に対応する組み合わせインデックスを表し、
それぞれのリソースインデックス対は、連続して割り当てられたリソースセットの開始（ｓｔａｒｔｉｎｇ）リソースインデックス及び終了（ｅｎｄｉｎｇ）リソースインデックスに対応する、方法。
（項目１２）
それぞれのリソースインデックス対は、第１リソースインデックスと第２リソースインデックスで構成され、
前記第１リソースインデックスは、前記開始リソースインデックスを表し、
前記第２リソースインデックスは、前記終了リソースインデックス＋１を表す、項目１１に記載の方法。
（項目１３）
前記複数のリソースインデックスは、１個の仮想リソースインデックスを含む、項目１１に記載の方法。
（項目１４）
前記複数のリソースインデックスのうち、最後のリソースインデックスが仮想リソースインデックスである、項目１１に記載の方法。
（項目１５）
前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、項目１１に記載の方法。
（項目１６）
無線通信システムに使用される通信装置であって、
無線周波数（Ｒａｄｉｏ  Ｆｒｅｑｕｅｎｃｙ、ＲＦ）ユニットと、
プロセッサと、
を含み、
前記プロセッサは、リソース割当情報を含む制御チャネル信号を受信し、前記制御チャネル信号に応じてアップリンク信号を伝送するように構成され、
前記リソース割当情報は、複数のリソースインデックスから選択された２つ以上のリソースインデックス対に対応する組み合わせインデックスを表し、
それぞれのリソースインデックス対は、連続して割り当てられたリソースセットの開始（ｓｔａｒｔｉｎｇ）リソースインデックス及び終了（ｅｎｄｉｎｇ）リソースインデックスに対応する、通信装置。
（項目１７）
それぞれのリソースインデックス対は、第１リソースインデックスと第２リソースインデックスで構成され、
前記第１リソースインデックスは、前記開始リソースインデックスを表し、
前記第２リソースインデックスは、前記終了リソースインデックス＋１を表す、項目１６に記載の通信装置。
（項目１８）
前記複数のリソースインデックスは、１個の仮想リソースインデックスを含む、項目１６に記載の通信装置。
（項目１９）
前記複数のリソースインデックスのうち、最後のリソースインデックスが仮想リソースインデックスである、項目１６に記載の通信装置。
（項目２０）
前記制御チャネル信号は、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号であり、前記アップリンク信号は、ＰＵＳＣＨ（Ｐｈｙｓｉｃａｌ  Ｕｐｌｉｎｋ  Ｓｈａｒｅｄ  Ｃｈａｎｎｅｌ）信号である、項目１６に記載の通信装置。
【発明の効果】
【００３５】
本発明によれば、無線通信システムにおいてリソースを効率的に割り当てることができる。特に、アップリンク伝送のための不連続リソース割当を效率的に行うことができる。
【００３６】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００３７】
本発明に関する理解を助けるために詳細な説明の一部として含まれる添付図面は、本発明に係る実施例を提供し、詳細な説明と共に本発明の技術的思想を説明する。
【図１】３ＧＰＰシステムの無線フレーム（ｒａｄｉｏ  ｆｒａｍｅ）の構造を例示する図である。
【図２】ダウンリンクスロットのリソースグリッドを例示する図である。
【図３】ダウンリンクサブフレームの構造を示す図である。
【図４】アップリンクサブフレームの構造を例示する図である。
【図５】仮想リソースブロック（Ｖｉｒｔｕａｌ  Ｒｅｓｏｕｒｃｅ  Ｂｌｏｃｋ、ＶＲＢ）と物理リソースブロック（Ｐｈｙｓｉｃａｌ  Ｒｅｓｏｕｒｃｅ  Ｂｌｏｃｋ、ＰＲＢ）とのマッピングを例示する図である。
【図６Ａ】既存ＬＴＥのリソース割当タイプ０〜２を例示する図である。
【図６Ｂ】既存ＬＴＥのリソース割当タイプ０〜２を例示する図である。
【図６Ｃ】既存ＬＴＥのリソース割当タイプ０〜２を例示する図である。
【図７Ａ】ＤＦＴ−ｓ−ＯＦＤＭＡ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）送／受信機の構成を示す図である。
【図７Ｂ】ＤＦＴ−ｓ−ＯＦＤＭＡ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）送／受信機の構成を示す図である。
【図８】ローカル化したＤＦＴ−ｓ−ＯＦＤＭＡリソースマッピングを例示する図である。
【図９】クラスターされたＤＦＴ−ｓ−ＯＦＤＭＡリソースマッピングを例示する図である。
【図１０】ＲＢＧのグルーピングを例示する図である。
【図１１】本発明の実施例による不連続的なアップリンクリソース割当方法を例示する図である。
【図１２】本発明の実施例による不連続的なアップリンクリソース割当方法を例示する図である。
【図１３Ａ】本発明の実施例による不連続的なアップリンクリソース割当方法を例示する図である。
【図１３Ｂ】本発明の実施例による不連続的なアップリンクリソース割当方法を例示する図である。
【図１４】本発明の実施例によるアップリンク伝送を例示する図である。
【図１５】本発明の実施例によるアップリンク伝送を例示する図である。
【図１６】本発明の一実施例に適用されうる基地局及び端末の構成を示す図である。
【発明を実施するための形態】
【００３８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いられてよい。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（Ａｄｖａｎｃｅｄ）は、３ＧＰＰＬＴＥの進展したバージョンである。
【００３９】
説明を明確にするために、３ＧＰＰ ＬＴＥ／ＬＴＥ−Ａを中心に説明するが、これに本発明の技術的思想が制限されることはない。また、以下の説明で使われる特定用語は、本発明の理解を助けるために提供されるもので、このような特定用語の使用は、本発明の技術的思想を逸脱しない範囲で他の形態に変更してもよい。
【００４０】
図１は、無線フレームの構造を示す図である。
【００４１】
図１を参照すると、無線フレームは、１０個のサブフレームを含む。サブフレームは、時間ドメインにおいて２つのスロットを含む。サブフレームを伝送する時間が伝送時間間隔（Ｔｒａｎｓｍｉｓｓｉｏｎ  Ｔｉｍｅ  Ｉｎｔｅｒｖａｌ、ＴＴＩ）と定義される。例えば、１サブフレームは、１ｍｓの長さを有することができ、１スロットは０．５ｍｓの長さを有することができる。１スロットは、時間ドメインにおいて、複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを有する。３ＧＰＰＬＴＥは、ダウンリンクにおいてＯＦＤＭＡを使用し、アップリンクにおいてＳＣ−ＦＤＭＡを使用するので、ＯＦＤＭまたはＳＣ−ＦＤＭＡシンボルは、一つのシンボル期間を表す。リソースブロック（Ｒｅｓｏｕｒｃｅ  Ｂｌｏｃｋ、ＲＢ）は、リソース割当ユニットであり、１スロットで複数の連続した副搬送波を含む。同図の無線フレームの構造は例示的なもので、無線フレームに含まれるサブフレームの個数、サブフレームに含まれるスロットの個数、スロットに含まれるシンボルの個数は様々な方式で変形可能である。
【００４２】
図２は、ダウンリンクスロットのリソースグリッドを例示する図である。
【００４３】
図２を参照すると、ダウンリンクスロットは、時間ドメインにおいて複数のＯＦＤＭシンボルを含む。１ダウンリンクスロットは、７（６）個のＯＦＤＭシンボルを含み、リソースブロックは、周波数ドメインにおいて１２個の副搬送波を含むことができる。リソースグリッド上の各要素（ｅｌｅｍｅｎｔ）は、リソース要素（Ｒｅｓｏｕｒｃｅ  Ｅｌｅｍｅｎｔ、ＲＥ）と呼ばれる。１個のＲＢは、１２×７（６）個のＲＥを含む。ダウンリンクスロットに含まれるＲＢの個数
【００４４】
【化１３】
0005406382.tif 000044
は、ダウンリンク伝送帯域に依存する。アップリンクスロットの構造は、ダウンリンクスロットの構造と同一であり、ただし、ＯＦＤＭシンボルがＳＣ−ＦＤＭＡシンボルに取り替えられ、
【００４５】
【化１４】
0005406382.tif 000045
に取り替えられる。
【００４６】
図３は、ダウンリンクサブフレームの構造を示す図である。
【００４７】
図３を参照すると、サブフレームの１番目のスロットにおいて前部に位置する最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域に該当する。３ＧＰＰＬＴＥで用いられるダウンリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。ＰＣＦＩＣＨは、サブフレームの１番目のＯＦＤＭシンボルで伝送され、サブフレーム内において制御チャネルの伝送に使われるＯＦＤＭシンボルの個数に関する情報を運ぶ。ＰＨＩＣＨは、アップリンク伝送の応答としてＨＡＲＱＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４８】
ＰＤＣＣＨを通じて伝送される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは、端末または端末グループのためのリソース割当情報及び他の制御情報を含む。例えば、ＤＣＩは、アップリンク／ダウンリンクスケジューリング情報、アップリンク伝送（Ｔｘ）パワー制御命令などを含む。
【００４９】
ＰＤＣＣＨは、ダウンリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当情報、アップリンク共有チャネル（ｕｐｌｉｎｋ  ｓｈａｒｅｄ  ｃｈａｎｎｅｌ、ＵＬ−ＳＣＨ）の伝送フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で伝送されることができる。端末は、複数のＰＤＣＣＨをモニタリングすることができる。ＰＤＣＣＨは、一つまたは複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で伝送される。ＣＣＥは、ＰＤＣＣＨに、無線チャネル状態に基づくコーディングレートを提供するのに使われる論理的割当ユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数は、ＣＣＥの個数によって決定される。基地局は、端末に伝送されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者または使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスキング（または、スクランブル）される。例えば、ＰＤＣＣＨが特定端末のためのものである場合、該当の端末の識別子（例、ｃｅｌｌ−ＲＮＴＩ（Ｃ−ＲＮＴＩ））がＣＲＣにマスキングされればよい。ＰＤＣＣＨがページングメッセージのためのものである場合、ページング識別子（例、ｐａｇｉｎｇ−ＲＮＴＩ（Ｐ−ＲＮＴＩ））がＣＲＣにマスキングされればよい。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものである場合、ＳＩ−ＲＮＴＩ（ｓｙｓｔｅｍ  ｉｎｆｏｒｍａｔｉｏｎ  ＲＮＴＩ）がＣＲＣにマスキングされればよい。ＰＤＣＣＨがランダムアクセス応答のためのものである場合、ＲＡ−ＲＮＴＩ（ｒａｎｄｏｍ  ａｃｃｅｓｓ−ＲＮＴＩ）がＣＲＣにマスキングされればよい。ＣＲＣマスキング（またはスクランブル）は、例えば、ビットレベルでＣＲＣとＲＮＴＩをＸＯＲ演算することを含む。
【００５０】
図４は、ＬＴＥにおいて用いられるアップリンクサブフレームの構造を例示する。
【００５１】
図４を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる数のＳＣ−ＦＤＭＡシンボルを含むことができる。一例として、通常のＣＰ（ｎｏｒｍａｌ  ＣＰ）の場合、スロットは、７個のＳＣ−ＦＤＭＡシンボルを含むことができる。アップリンクサブフレームは、周波数領域においてデータ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸でデータ領域の両端部に位置しているＲＢ対（ＲＢ  ｐａｉｒ）（例、ｍ＝０，１，２，３）を含み、スロットを境界にしてホッピングする。制御情報は、ＨＡＲＱＡＣＫ／ＮＡＣＫ、ＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００５２】
以下、リソースブロックマッピングについて説明する。物理リソースブロック（Ｐｈｙｓｉｃａｌ  Ｒｅｓｏｕｒｃｅ  Ｂｌｏｃｋ、ＰＲＢ）と仮想リソースブロック（Ｖｉｒｔｕａｌ  Ｒｅｓｏｕｒｃｅ  Ｂｌｏｃｋ、ＶＲＢ）が定義される。物理リソースブロックは、図２に例示したとおりである。すなわち、物理リソースブロックは、時間領域で
【００５３】
【化１５】
0005406382.tif 000046
個の連続したＯＦＤＭシンボルと周波数領域で
【００５４】
【化１６】
0005406382.tif 000047
個の連続した副搬送波とで定義される。物理リソースブロックは、周波数領域で
【００５５】
【化１７】
0005406382.tif 000048
と番号が与えられる。物理リソースブロック番号
【００５６】
【化１８】
0005406382.tif 000049
とスロットにおけるリソース要素
【００５７】
【化１９】
0005406382.tif 000050
との関係は、数学式１のとおりである。
【００５８】
【数１】
0005406382.tif 000051
ここで、ｋは副搬送波インデックスであり、
【００５９】
【化２１】
0005406382.tif 000052
は、一つのリソースブロックに含まれた副搬送波の個数を表す。
【００６０】
仮想リソースブロックは、物理リソースブロックと同じ大きさを有する。ローカルタイプ（ｌｏｃａｌｉｚｅｄ  ｔｙｐｅ）の仮想リソースブロック（Ｌｏｃａｌｉｚｅｄ  ＶＲＢ、ＬＶＲＢ）及び分散タイプ（ｄｉｓｔｒｉｂｕｔｅｄ  ｔｙｐｅ）の仮想リソースブロック（Ｄｉｓｔｒｉｂｕｔｅｄ  ＶＲＢ、ＤＶＲＢ）が定義される。仮想リソースブロックのタイプにかかわらず、サブフレームにおいて２つのスロットにわたって１対のリソースブロックが単一仮想リソースブロック番号
【００６１】
【化２２】
0005406382.tif 000053
によって共に割り当てられる。
【００６２】
図５に、仮想リソースブロックを物理リソースブロックにマッピングする方法を例示する。
【００６３】
図５を参照すると、ＬＶＲＢはＰＲＢに直接マッピングされるので、仮想リソースブロック番号
【００６４】
【化２３】
0005406382.tif 000054
は、物理リソースブロック番号
【００６５】
【化２４】
0005406382.tif 000055
に同一に対応する
【００６６】
【化２５】
0005406382.tif 000056
ＶＲＢは、
【００６７】
【化２６】
0005406382.tif 000057
と番号が与えられ、
【００６８】
【化２７】
0005406382.tif 000058
である。一方、ＤＶＲＢは、インタリービングを経てＰＲＢにマッピングされる。具体的に、ＤＶＲＢはＰＲＢに表１のようにマッピングできる。表１は、ＲＢギャップ（Ｇａｐ）値を表す。
【００６９】
【表１】
0005406382.tif 000059
【００７０】
【化２８】
0005406382.tif 000060
は、同一番号のＶＲＢが１番目のスロットと２番目のスロットのＰＲＢにマッピングされる時における周波数間隔（例、ＰＲＢ単位）を表す。
【００７１】
【化２９】
0005406382.tif 000061
の場合、一つのギャップ値のみ定義される
【００７２】
【化３０】
0005406382.tif 000062
の場合、２つのギャップ値
【００７３】
【化３１】
0005406382.tif 000063
が定義される。
【００７４】
【化３２】
0005406382.tif 000064
は、ダウンリンクスケジューリングを通じてシグナリングされる。ＤＶＲＢは、
【００７５】
【化３３】
0005406382.tif 000065
と番号が与えられ、
【００７６】
【化３４】
0005406382.tif 000066
に対して
【００７７】
【化３５】
0005406382.tif 000067
であり、
【００７８】
【化３６】
0005406382.tif 000068
に対して
【００７９】
【化３７】
0005406382.tif 000069
である。ｍｉｎ（Ａ，Ｂ）は、Ａ及びＢのうち、小さい値を表す。
【００８０】
連続した
【００８１】
【化３８】
0005406382.tif 000070
は、ＶＲＢ番号インタリービングのための単位を構成し、
【００８２】
【化３９】
0005406382.tif 000071
の場合、
【００８３】
【化４０】
0005406382.tif 000072
であり、
【００８４】
【化４１】
0005406382.tif 000073
の場合、
【００８５】
【化４２】
0005406382.tif 000074
である。各インタリービングユニットのＶＲＢ番号インタリービングは、４個の列と
【００８６】
【化４３】
0005406382.tif 000075
個の行を用いて行うことができる。
【００８７】
【化４４】
0005406382.tif 000076
であり、
【００８８】
【化４５】
0005406382.tif 000077
は、リソースブロックグループ（Ｒｅｓｏｕｒｃｅ  Ｂｌｏｃｋ  Ｇｒｏｕｐ、ＲＢＧ）の大きさを表す。ＲＢＧは、Ｐ個の連続したリソースブロックと定義される。ＶＲＢ番号は、行列に行−バイ−行（ｒｏｗ−ｂｙ−ｒｏｗ）で書き込まれ、列−バイ−列（ｃｏｌｕｍｎ−ｂｙ−ｃｏｌｕｍｎ）で読み出される。
【００８９】
【化４６】
0005406382.tif 000078
個のヌル（ｎｕｌｌ）が２番目及び４番目の列の最後の
【００９０】
【化４７】
0005406382.tif 000079
個の行に挿入され、
【００９１】
【化４８】
0005406382.tif 000080
である。ヌル値は読み出し時に無視される。
【００９２】
以下、既存のＬＴＥに定義されたリソース割当方式について説明する。ＬＴＥにおいて周波数リソース割当は、毎サブフレームごとにＰＤＣＣＨを通じて指示できる。リソース割当時に、サブフレームの前半部（すなわち、１番目のスロット）におけるＰＲＢ（Ｐｈｙｓｉｃａｌ  ＲＢ）は、サブフレームの後半部（すなわち、２番目のスロット）における同一周波数のＰＲＢとペアリングされる。便宜上、本明細書は、サブフレームの前半部の観点で説明する。既存ＬＴＥは、リソース割当のために表２〜３のように様々な方法を用いる。表２は、ダウンリンク（ＤＬ）リソース割当方法を表し、表３は、アップリンク（ＵＬ）リソース割当方法を表す。
【００９３】
【表２】
0005406382.tif 000081
【００９４】
【表３】
0005406382.tif 000082
ここで、
【００９５】
【化４９】
0005406382.tif 000083
は、
【００９６】
【化５０】
0005406382.tif 000084
の倍数で表現したダウンリンク帯域幅を表す。すなわち、
【００９７】
【化５１】
0005406382.tif 000085
はダウンリンク帯域幅を表し、単位はＲＢである。同様に、
【００９８】
【化５２】
0005406382.tif 000086
の倍数で表現したアップリンク帯域幅を表す。すなわち、
【００９９】
【化５３】
0005406382.tif 000087
はアップリンク帯域幅を表し、単位はＲＢである。Ｐは、ＲＢＧを構成するＲＢの個数を表す。
【０１００】
図６Ａ乃至図６Ｃはそれぞれ、タイプ０ ＲＡ（Ｒｅｓｏｕｒｃｅ  Ａｌｌｏｃａｔｉｏｎ）、タイプ１ＲＡ及びタイプ２ ＲＡのための制御情報フォーマット及びそれによるリソース割当例を示す。
【０１０１】
端末は、検出されたＰＤＣＣＨ ＤＣＩフォーマットに基づいてリソース割当フィールドを解析する。それぞれのＰＤＣＣＨ内のリソース割当フィールドは、リソース割当ヘッダーフィールドと実際リソースブロック割当情報の２部分（ｐａｒｔ）を含む。タイプ０及びタイプ１リソース割当のためのＰＤＣＣＨＤＣＩフォーマット１、２及び２Ａは同一のフォーマットを有し、ダウンリンクシステム帯域によって存在する単一ビットリソース割当ヘッダーフィールドを通じて互いに区別される。具体的に、タイプ０ＲＡは０で指示され、タイプ１ ＲＡは１で指示される。ＰＤＣＣＨ ＤＣＩフォーマット１、２及び２Ａがタイプ０またはタイプ１ＲＡに使用され、ＰＤＣＣＨ ＤＣＩフォーマット１Ａ、１Ｂ、１Ｃ及び１Ｄはタイプ２ＲＡに使用される。タイプ２ ＲＡを有するＰＤＣＣＨ ＤＣＩフォーマットは、リソース割当ヘッダーフィールドを有しない。
【０１０２】
図６Ａを参照すると、タイプ０ ＲＡにおいて、リソースブロック割当情報は、端末に割り当てられたリソースブロックグループ（Ｒｅｓｏｕｒｃｅ  Ｂｌｏｃｋ  Ｇｒｏｕｐ、ＲＢＧ）を指示するビットマップを含む。ＲＢＧは、連続したＰＲＢのセットである。ＲＢＧの大きさ（Ｐ）は、表４のようにシステム帯域に依存する。
【０１０３】
【表４】
0005406382.tif 000088
【０１０４】
【化５４】
0005406382.tif 000089
個のＰＲＢを有するダウンリンクシステム帯域において、ＲＢＧの総個数
【０１０５】
【化５５】
0005406382.tif 000090
と与えられ、
【０１０６】
【化５６】
0005406382.tif 000091
個のＲＢＧは、大きさがＰであり、
【０１０７】
【化５７】
0005406382.tif 000092
の場合、ＲＢＧのうちの一つは、大きさが
【０１０８】
【化５８】
0005406382.tif 000093
と与えられる。ｍｏｄはモジュールに（ｍｏｄｕｌｏ）演算を表し、
【０１０９】
【化５９】
0005406382.tif 000094
は切り上げ（ｃｅｉｌｉｎｇ）関数を表し、
【０１１０】
【化６０】
0005406382.tif 000095
は切り捨て（ｆｌｏｏｒｉｎｇ）関数を表す。ビットマップの大きさは
【０１１１】
【化６１】
0005406382.tif 000096
であり、それぞれのビットは一つのＲＢＧに対応する。全体ＲＢＧは、周波数増加方向に
【０１１２】
【化６２】
0005406382.tif 000097
とインデクシングされ、
【０１１３】
【化６３】
0005406382.tif 000098
は、ビットマップのＭＳＢ（ｍｏｓｔ  ｓｉｇｎｉｆｉｃａｎｔ  ｂｉｔ）からＬＳＢ（ｌｅａｓｔ  ｓｉｇｎｉｆｉｃａｎｔ  ｂｉｔ）にマッピングされる。
【０１１４】
図６Ｂを参照すると、タイプ１ ＲＡにおいて
【０１１５】
【化６４】
0005406382.tif 000099
大きさのリソースブロック割当情報は、スケジューリングされた端末に、ＲＢＧサブセット内のリソースを、ＰＲＢ単位で指示する。ＲＢＧサブセット
【０１１６】
【化６５】
0005406382.tif 000100
から始まって、毎Ｐ番目のＲＢＧで構成される。リソースブロック割当情報は、３個のフィールドで構成される。１番目のフィールドは、
【０１１７】
【化６６】
0005406382.tif 000101
個のビットであり、
【化６６−１】
0005406382.tif 000102
個のＲＢＧサブセットから選択されたＲＢＧサブセットを指示する。２番目のフィールドは、１ビットであり、サブセット内でリソース割当スパン（ｓｐａｎ）のシフトを指示する。ビット値が１の場合、シフトがトリガリングされ、逆の場合、トリガリングされない。３番目のフィールドは、ビットマップを含み、それぞれのビットは、選択されたＲＢＧセット内で一つのＰＲＢを指示する。選択されたＲＢＧサブセット内でＰＲＢを指示するのに用いられるビットマップ部分は、
【０１１８】
【化６７】
0005406382.tif 000103
の大きさを有し、数学式２のように定義される。
【０１１９】
【数２】
0005406382.tif 000104
選択されたＲＢＧサブセットでアドレス可能な（ａｄｄｒｅｓｓａｂｌｅ）ＰＲＢ番号は、選択されたＲＢＧサブセット内で最も小さいＰＲＢ番号に対するオフセット
【０１２０】
【化６８】
0005406382.tif 000105
から始め、ビットマップのＭＳＢにマッピングできる。オフセットは、ＰＲＢの個数で表現され、選択されたＲＢＧサブセット内で適用される。リソース割当スパンのシフトのための２番目のフィールド内のビット値が０にセッティングされた場合、ＲＢＧサブセット
【０１２１】
【化６９】
0005406382.tif 000106
のためのオフセットは
【０１２２】
【化７０】
0005406382.tif 000107
と与えられる。その他の場合、ＲＢＧサブセット
【０１２３】
【化７０−１】
0005406382.tif 000108
のためのオフセットは、
【０１２４】
【化７１】
0005406382.tif 000109
と与えられる。
【０１２５】
【化７２】
0005406382.tif 000110
は、ＲＢＧサブセット
【０１２６】
【化７２−１】
0005406382.tif 000111
内でのＰＲＢの個数を表し、数学式３によって求めることができる。
【０１２７】
【数３】
0005406382.tif 000112
図６Ｃを参照すると、タイプ２ ＲＡにおいてリソースブロック割当情報は、スケジューリングされた端末に連続して割り当てられたＬＶＲＢまたはＤＶＲＢのセットを指示する。ＰＤＣＣＨＤＣＩフォーマット１Ａ、１Ｂまたは１Ｄでリソース割当をシグナリングする場合、１ビットフラグが、ＬＶＲＢが割り当てられるか、またはＤＶＲＢが割り当てられるかを指示する（例、０はＬＶＲＢ割当を表し、１はＤＶＲＢ割当を表す）。一方、ＰＤＣＣＨＤＣＩフォーマット１Ｃでリソース割当をシグナリングする場合、常にＤＶＲＢのみ割り当てられる。タイプ２リソース割当フィールドは、リソース指示値（Ｒｅｓｏｕｒｃｅ  Ｉｎｄｉｃａｔｉｏｎ  Ｖａｌｕｅ、ＲＩＶ）を含み、ＲＩＶは、開始リソースブロック
【０１２８】
【化７３】
0005406382.tif 000113
及び長さに対応する。長さは、仮想的に連続するように割り当てられたリソースブロックの個数を表す。
【０１２９】
図７Ａ及び図７Ｂは、ＤＦＴ−ｓ−ＯＦＤＭＡ送／受信機を示すブロック図である。ＤＦＴ−ｓ−ＯＦＤＭＡ方式がＯＦＤＭＡ方式と異なる点は、ＩＦＦＴ処理前にＤＦＴプリコーディング（ｐｒｅｃｏｄｉｎｇ）を通じて複数のデータシンボル（すなわち、データシンボルシーケンス）を周波数領域に拡散させるということである。ＤＦＴ−ｓ−ＯＦＤＭＡ方式は、ＳＣ−ＦＤＭＡ方式とも呼ばれ、本明細書で両者は混用する。
【０１３０】
図７Ａを参照すると、ＤＦＴ−ｓ−ＯＦＤＭＡ送信機７００は、コンステレーションマッピングモジュール７０２、直／並列変換器７０４、Ｎｕ−ポイントＦＦＴ拡散モジュール７０６、シンボル−対−副搬送波マッピングモジュール７０８、Ｎｃ−ポイントＩＦＦＴモジュール７１０、巡回プレフィックスモジュール７１２及び並／直列変換器７１４を含む。これらのモジュールは、本発明の実施例を説明するための例示であり、ＤＦＴ−ｓ−ＯＦＤＭＡ送信機７００は、他のモジュールをさらに含むこともできる。また、一部モジュールは、機能が互いに統合されて一つのモジュールにしてもよい。ここで、Ｎｕは、ＦＦＴ拡散モジュール入力大きさで、スケジューリングされた副搬送波の個数に該当する。また、Ｎｃは、システム帯域内に存在する全体副搬送波の個数に該当する。したがって、Ｎｕ値及びそれによるＤＦＴ入出力大きさは、毎スケジューリング時点ごとにスケジューリングされるデータシンボル量によってＮｕ≦Ｎｃの範囲内で可変可能である。
【０１３１】
ＤＦＴ−ｓ−ＯＦＤＭＡ送信機７００の信号処理手順は、次のとおりである。まず、ビットストリームがデータシンボルシーケンスに変調される（７０２）。その後、直列のデータシンボルシーケンスは、Ｎｕ個ずつ並列に変換される（７０４）。Ｎｕ長の並列データシンボルシーケンスは、同一の大きさのＦＦＴ処理を通じてＮｕ長の周波数領域シーケンスに変換される（７０６）。ＦＦＴ処理は、Ｎｕ−ポイントＤＦＴ処理を通じて行うことがてきる。本明細書において、ＦＦＴはＤＦＴと混用され、ＤＦＴ処理はＤＦＴ拡散またはＤＦＴプリコーディングと混用される。その後、Ｎｕ長の周波数領域シーケンスは、全体Ｎｃ個の副搬送波のうち、割り当てられたＮｕ個の副搬送波にマッピングされ、Ｎｃ−Ｎｕ個の残された副搬送波には、０が詰められる（ｐａｄｄｉｎｇ）（７０８）。Ｎｃ副搬送波にマッピングされたシーケンスは、Ｎｃ−ポイントＩＦＦＴ処理を通じてＮｃ長の時間領域シーケンスに変換される（７１０）。ＩＳＩとＩＣＩを減らすために、時間領域シーケンスの末尾にあるＮｐ個のサンプルを複写し、シーケンスの先頭に付加することによって巡回プレフィックス（ＣｙｃｌｉｃＰｒｅｆｉｘ）を構成する（７１２）。生成された時間領域シーケンスは、一つの伝送シンボルに該当し、並／直列変換器で直列シーケンスに変換される（７１４）。その後、直列シーケンスは、周波数アップ変換などの過程を経て受信機に伝送される。他のユーザは、前のユーザが使用して残ったＮｃ−Ｎｕ副搬送波のうち可用の副搬送波を受けて、データ伝送を行う。
【０１３２】
図７Ｂを参照すると、受信機７２０は、直／並列変換器７２２、Ｎｃ−ポイントＦＦＴモジュール７２４、副搬送波−対−シンボルマッピングモジュール７２６、Ｎｕ−ポイントＤＦＴ逆拡散モジュール７２８、並／直列変換器７３０、及びコンステレーションデマッヒングモジュール７３２を含む。受信機７２０の信号処理手順は、送信機７００の逆手順となり、その詳細は図７Ａを参照されたい。
【０１３３】
ＬＴＥの場合、ダウンリンクではＯＦＤＭＡ方式を使用し、アップリンクではＳＣ−ＦＤＭＡ方式を使用する。ＯＦＤＭＡ送信機は、図７Ａのブロック図においてＮｕ−ポイントＦＦＴ拡散モジュール７０６を除去したものに該当し、ＯＦＤＭＡ受信機は、図７Ｂのブロック図においてＮｕ−ポイントＤＦＴ逆拡散モジュール７２８を除去したものに該当する。
【０１３４】
以下、図８及び図９を参照して、ＤＦＴプリコーディングにより生成された周波数領域シーケンスを副搬送波にマッピングする方法について説明する。既存ＬＴＥは、アップリンクで一つの端末に一つの連続した周波数リソースのみを割り当てる。しかし、ＬＴＥ−Ａ（Ｒｅｌ−１０以降）システムは、高速通信への要求と周波数リソース活用の極大化のために、アップリンクで一つの端末に一つの連続した周波数リソースだけでなく、複数の不連続の周波数リソースを割り当てることを許容する。
【０１３５】
図８は、ローカル化したＤＦＴ−ｓ−ＯＦＤＭＡ送信機８００を示すブロック図である。同図は、既存ＬＴＥのリソース割当方法に該当する。
【０１３６】
図８を参照すると、Ｎｕデータ８０４に対して、ＤＦＴモジュール８０６から出力された周波数領域シーケンスは、システム帯域内で連続した副搬送波にマッピングされ（８０８）、Ｎｃ−ポイントＩＦＦＴモジュール８１０により処理される。すなわち、Ｎｕ長の周波数領域シーケンスは、Ｎｕ個の連続した副搬送波にマッピングされる。この方式は、与えられた時点に、連続した副搬送波を通じてのみデータ送信が可能であるため、スケジューリング柔軟性に劣ることがある。一例として、送受信端が、ある時点に、複数の互いに離隔した周波数領域において良好な無線チャネル応答特性を有する場合、この方式では、互いに離隔した周波数領域に同時にデータを伝送することが不可能である。
【０１３７】
図９は、クラスターされたＤＦＴ−ｓ−ＯＦＤＭＡ送信機９００を示すブロック図である。図９は、ＬＴＥ−Ａで追加に使用されるリソース割当方法に該当する。ＬＴＥ−Ａ端末は、リソース割当情報に基づいて図８の方式または図９の方式を用いることができる。
【０１３８】
図９を参照すると、Ｎｕデータ９０４に対して、ＤＦＴモジュール９０６から出力された周波数領域シーケンスは、周波数帯域に不均等に不連続的にマッピングされ（９０８）、Ｎｃ−ポイントＩＦＦＴモジュール９１０により処理される。この方式は、複数の互いに離隔されている周波数領域に、ローカル化したＤＦＴ−ｓ−ＯＦＤＭＡ方式を独立して適用しているといえる。便宜上、ローカル化したＤＦＴ−ｓ−ＯＦＤＭＡ方式が適用されるそれぞれのリソースセット（または、周波数帯域）をクラスターと称する。クラスターは、一つ以上の連続した副搬送波を含む。したがって、この方式では、ＤＦＴプリコーディングを経た複数のデータシンボルが、周波数ドメインで互いに離隔したＭ（≧１）個のクラスター内で連続した副搬送波にマッピングされる。図９は、クラスターが３個である場合を例示する。各クラスターの大きさ（例、副搬送波、ＲＢ、またはＲＢＧ個数）は独立的に設定されてよい。送信信号のＰＡＰＲ値は、Ｍ値が１より大きい場合、ローカル化したＤＦＴ−ｓ−ＯＦＤＭＡ方式に比べて大きくなるが、Ｍ値が適切に小さい範囲内で設定されると、依然としてＯＦＤＭＡ方式に比べてより小さいＰＡＰＲ値を保障しながらスケジューリング柔軟性を向上させることができる。
【０１３９】
（実施例）
ＬＴＥ−Ａシステムに不連続的なアップリンクリソース割当方法（便宜上、ＵＬＲＡタイプＮと呼ぶ。）が取り入れられることから、ＵＬ ＲＡタイプＮを效率的にシグナリングするための様々な方案が、当業界で論議されてきた。
【０１４０】
第一の方案として、ＤＬ ＲＡタイプ０のように、ＵＬＲＢ（またはＲＢＧ）を個別的に指示するビットマップを利用する方法が提案された。この方案によれば、不連続的リソース割当時に完全なスケジューリング自由度が保障されるが、ＵＬ帯域にｎ個のＲＢ（またはＲＢＧ）があるとｎビットのＲＡフィールドが必要とされ、制御情報の量が過度に増加することがある。しかも、既存のＰＵＳＣＨスケジューリングのためのＲＡフィールドのサイズが
【０１４１】
【化７４】
0005406382.tif 000114
と定められている点を考慮する時、本方案を支援するためには、新しいＤＣＩフォーマットが定義されなければならない。
【０１４２】
第二の方案として、既存の連続割当方式（ＲＡタイプ２）を再活用するとともに、それぞれのクラスターの割り当てられうるリソース領域を制限する方法が提案された。例えば、ＵＬ帯域が１０個のＲＢＧを含む場合、１番目のクラスターはＲＢＧ０〜４内でのみ割り当てられ、２番目のクラスターはＲＢＧ５〜９内でのみ割り当てられればいい。この場合、ＲＡフィールドのサイズは、
【０１４３】
【化７５】
0005406382.tif 000115
と与えられてよい。
【０１４４】
【化７６】
0005406382.tif 000116
は、それぞれのクラスターが割り当てられうる領域の大きさを表し、ＲＢＧ単位である。本方案によれば、
【０１４５】
【化７７】
0005406382.tif 000117
の大きさを調節することによって既存ＲＡフィールドを用いて不連続的リソース割当をすることができる。しかし、それぞれのクラスターの割り当てられうる領域が制限されるから、スケジューリング自由度が減少するという不具合がある。
【０１４６】
上述したように、不連続的なアップリンクリソース割当時に個別ＲＢ（またはＲＢＧ）を指示するビットマップを利用する場合、制御情報の量が相当増加することがあるため、既存ＤＣＩフォーマットを再活用することができない。また、不連続的なアップリンクリソース割当時に、既存の連続割当方式（すなわち、ＲＩＶ）及びＤＣＩフォーマットを再活用する場合、既存ＤＣＩフォーマットのサイズを維持すべく、クラスターの割り当てられうる領域が制限されるため、スケジューリング自由度が減少するという問題がある。
【０１４７】
以下、図面を参照して、リソース割当のための情報の量を増加させることなく、スケジューリング自由度を保障できる、本発明に係る不連続的なアップリンクリソース割当方法について説明する。具体的に、本発明では、不連続的に割り当てられた複数のリソースセットに対応する組み合わせインデックス（ｃｏｍｂｉｎａｔｏｒｉａｌ  ｉｎｄｅｘ）を用いることを提案する。組み合わせインデックスは、ＰＵＳＣＨスケジューリングのためのＤＣＩフォーマットのＲＡフィールドに含まれればいい。組み合わせインデックスは、全体の場合から特定組み合わせのインデックスが選択される場合を指示するのに用いられる。便宜上、特定組み合わせのインデックス集合を
【０１４８】
【化７８】
0005406382.tif 000118
と表示する。
【０１４９】
【化７９】
0005406382.tif 000119
であり、
【０１５０】
【化８０】
0005406382.tif 000120
は、割り当てられたリソースセット（例、クラスター）の個数を表す。この場合、
【０１５１】
【化８１】
0005406382.tif 000121
は１番目のリソースセットに対応し、
【０１５２】
【化８２】
0005406382.tif 000122
は２番目のリソースセットに対応する。すなわち、
【０１５３】
【化８３】
0005406382.tif 000123
番目のリソースセットに対応する。これと異なる対応関係にしてもよい。組み合わせインデックスを用いたリソース割当方法の詳細は、後述される。
【０１５４】
説明に先立ち、全体ＵＬシステム帯域幅あるいはリソース割当に使用可能なＵＬ帯域幅に該当する総ＲＢ数を
【０１５５】
【化８４】
0005406382.tif 000124
と定義する。便宜上、本発明の実施例は、リソース割当最小単位（ｇｒａｎｕｌａｒｉｔｙ）をＲＢＧとするが、これは例示であり、その他のリソース割当最小単位にしてもよい。ＲＢＧを構成するＲＢ数を
【化８４−１】
0005406382.tif 000125
とすれば、全体
【０１５６】
【化８５】
0005406382.tif 000126
個のＲＢに対して総
【０１５７】
【化８６】
0005406382.tif 000127
個のリソース割当用ＲＢＧを定義することができる。具体的に、
【０１５８】
【化８７】
0005406382.tif 000128
と与えられるとよい。
【０１５９】
【化８８】
0005406382.tif 000129
またはｃｅｉｌｉｎｇ（ｘ）は、ｘより大きいまたは等しい最小整数を表す。一方、リソース割当フィールドの定義及びサイズによって、
【０１６０】
【化８９】
0005406382.tif 000130
または
【０１６１】
【化９０】
0005406382.tif 000131
と与えられてよい。
【０１６２】
【化９１】
0005406382.tif 000132
またはｆｌｏｏｒ（ｘ）は、ｘより小さいまたは等しい最大整数を表す。ｒｏｕｎｄ（ｘ）は、ｘに対する四捨五入を意味する。
【０１６３】
また、端末に不連続的に割り当てられるリソースセット（例、ＲＢＧクラスター）の個数は、Ｍ（Ｍ＝２，３，…）と定義される。Ｍは、全ての端末において同一の値（すなわち、セル−特定（ｃｅｌｌ−ｓｐｅｃｉｆｉｃ））に設定されたり、各端末別に独立して（すなわち、端末−特定（ＵＥ−ｓｐｅｃｉｆｉｃ））設定されたりすることができる。好適には、全ての端末に対してＭ＝２と固定されるとよい。
【０１６４】
図１０は、リソース割当のためのＲＢＧインデクシングベースのＲＢＧマップを例示する図である。図１０は、ＵＬ帯域が２０個のＲＢを含む場合とする
【０１６５】
【化９１−１】
0005406382.tif 000133
この場合、表４を参照すると、ＲＢＧは２個のＲＢで構成される。したがって、ＲＢ＃１〜＃２０は、ＲＢＧ＃１〜＃１０にグルーピングされる。以下では、ＲＢＧを基本ＵＬリソース割当単位とする。同図では、ＲＢインデックスとＲＢＧインデックスが１から始まることが例示されているが、具現例によって、ＲＢインデックス及び／またはＲＢＧインデックスは０から始まるように定義されてもよい。
【０１６６】
（方法１:組み合わせインデックスがＲＢＧインデックスの組み合わせを指示）
この方法は、ＲＢＧインデクシングに基づいて複数の不連続的なアップリンクリソースセット（例、ＲＢＧクラスター）を割り当てる方法を例示する。便宜上、端末に割り当てられるＲＢＧクラスターの開始（ｓｔａｒｔｉｎｇ）ＲＢＧインデックスと終了（ｅｎｄｉｎｇ）ＲＢＧインデックスをそれぞれＳ、Ｅとする。ｍ番目のＲＢＧセットの開始ＲＢＧインデックスと終了ＲＢＧインデックスはそれぞれ、Ｓｍ、Ｅｍとする。便宜上、２つのＲＢＧクラスターが割り当てられる場合を中心に説明する。この場合、組み合わせインデックスは
【０１６７】
【化９２】
0005406382.tif 000134
を指示するのに使用できる。
【０１６８】
リソース割当のために、単純には、
【０１６９】
【化９３】
0005406382.tif 000135
と定義することができる。しかし、ＲＢＧクラスターが一つのＲＢＧで構成される場合を考慮すれば、組み合わせインデックスが
【０１７０】
【化９４】
0005406382.tif 000136
の組み合わせを指示することができなければならない。この場合、重複選択によって全体組み合わせの数が増加し、より多い制御情報が必要とされることがある。したがって、重複選択を排除するために、
【０１７１】
【化９５】
0005406382.tif 000137
と制限することができる。ただし、
【０１７２】
【化９６】
0005406382.tif 000138
の制限が適用される場合、一つのＲＢＧで構成されたリソースセットを割り当てることができないという問題が発生する。
【０１７３】
そこで、下記の方案を考慮できる。
【０１７４】
【化９７】
0005406382.tif 000139
方法１−１によれば、割り当てられたリソースセットのＲＢＧインデックスは、
【０１７５】
【化９８】
0005406382.tif 000140
と
同様に、方法１−２によれば、割り当てられたリソースセットのＲＢＧインデックスは
【０１７６】
【化９９】
0005406382.tif 000141
と与えられる。
【０１７７】
以下、図面を参照して、方法１−１及び１−２についてより具体的に説明する。
【０１７８】
（方法１−１：ＲＢＧクラスターの開始（ｓｔａｒｔｉｎｇ）／終了−後（ｅｎｄｉｎｇ−ｒｅａｒ）ＲＢＧを指示）
図１１に、方法１−１によるリソース割当方案を例示する。
【０１７９】
図１１を参照すると、この方法は、ＲＢＧインデクシングに基づき、全体ＮＲＢＧ個のＲＢＧのうち、端末に割り当てられるＭ個のＲＢＧクラスターのそれぞれに対して、
【０１８０】
【化１００】
0005406382.tif 000142
（すなわち、開始ＲＢＧインデックスと終了−後ＲＢＧインデックス）を知らせる。前述したとおり、ＰＵＳＣＨスケジューリングのためのＤＣＩフォーマットに含まれた組み合わせインデックスは、
【０１８１】
【化１０１】
0005406382.tif 000143
を指示し、端末は、
【０１８２】
【化１０２】
0005406382.tif 000144
の関係から
【０１８３】
【化１０３】
0005406382.tif 000145
が確認できる。
【０１８４】
本方法では、ＲＢＧクラスターの終了ＲＢＧを、最後のＲＢＧインデックスにも割り当て可能にするために、図１１に示すように、最後のＲＢＧインデックスの後方（高いＲＢＧインデックス方向）に一つの仮想ＲＢＧを追加に定義することができる。ここで、仮想ＲＢＧの場合、実際のリソース割当は不可能であり、ただし、インデクシングの目的にのみ使用される。
【０１８５】
本方法で、Ｍ個のＲＢＧクラスター割当のための
【化１０３−２】
0005406382.tif 000146
個のインデックスは、それぞれのインデックスが互いに異なるビットでエンコーディングされたり、クラスター別に互いに異なるビットでエンコーディングされたり、または、リソース割当に使用されるビット数を減らすために全てのクラスターの全てのインデックスが共にジョイントエンコーディングされたりすることができる。また、上述したように、本方法で、Ｍ個のＲＢＧクラスターを区別するための
【化１０３−３】
0005406382.tif 000147
個のインデックスは、互いに重複しない組み合わせのみ選択されればよい。便宜上、Ｎ＝ＮＲＢＧとすれば、総ＲＢＧインデックス数は、仮想ＲＢＧも含めてＮ＋１となる。したがって、本方法でリソース割当に要求されるビット数は、ｃｅｉｌｉｎｇ（ｌｏｇ２（Ｎ＋１Ｃ２Ｍ））となる。特に、本方法で、Ｎ＋１個のＲＢＧインデックスを１〜Ｎ＋１と定義する時、Ｍ個のＲＢＧクラスターリソース割当をシグナリングするための組み合わせインデックス
【０１８６】
【化１０３−１】
0005406382.tif 000148
は、下記のように表現可能である。
【０１８７】
【数４】
0005406382.tif 000149
ここで、
【０１８８】
【化１０４】
0005406382.tif 000150
はソーティング（ｓｏｒｔｉｎｇ）された
【０１８９】
【化１０５】
0005406382.tif 000151
個のＲＢＧインデックスを意味する。
【０１９０】
【化１０６】
0005406382.tif 000152
を表す。
【０１９１】
他の方式として、Ｎ＋１個のＲＢＧインデックスを０〜Ｎと定義する時、Ｍ個のＲＢＧクラスターリソース割当をシグナリングするための組み合わせインデックス
【０１９２】
【化１０７】
0005406382.tif 000153
は、下記のように表現可能である。
【０１９３】
【数５】
0005406382.tif 000154
ここで、
【０１９４】
【化１０８】
0005406382.tif 000155
は、ソーティングされた
【０１９５】
【化１０９】
0005406382.tif 000156
個のＲＢＧインデックスを意味する。
【０１９６】
【化１１０】
0005406382.tif 000157
を表す。
【０１９７】
数学式４及び５において、Ｎは、下記の数学式により与えることができる。
【０１９８】
【数６】
0005406382.tif 000158
ここで、
【０１９９】
【化１１１】
0005406382.tif 000159
は、アップリンク帯域のリソースブロック個数を表す。
【０２００】
【化１１２】
0005406382.tif 000160
は、ＲＢＧを構成するリソースブロック個数を表す。
【０２０１】
【化１１３】
0005406382.tif 000161
は、切上げ（ｃｅｉｌｉｎｇ）関数を表す。
【０２０２】
表５は、システム帯域によるＲＢＧ大きさ（Ｐ）を例示する。
【０２０３】
【表５】
0005406382.tif 000162
さらに、本方法で、
【０２０４】
【化１１４】
0005406382.tif 000163
は、ｍ番目のＲＢＧクラスターの後方に隣接している非割当ＲＢＧ領域の開始ＲＢＧインデックスと解析できる。
【０２０５】
（（方法１−２）ＲＢＧクラスターの開始−前（ｓｔａｒｔｉｎｇ−ｆｒｏｎｔ）／終了（ｅｎｄｉｎｇ）ＲＢＧを指示）
図１２は、方法１−１によるリソース割当方案を示す図である。
【０２０６】
図１２を参照すると、本方法は、ＲＢＧインデクシングに基づき、全体ＮＲＢＧ個のＲＢＧのうち、端末に割り当てられるＭ個のＲＢＧクラスターのそれぞれに対して
【０２０７】
【化１１５】
0005406382.tif 000164
（すなわち、開始−前ＲＢＧインデックスと終了ＲＢＧインデックス）を知らせる。上述したように、ＰＵＳＣＨスケジューリングのためのＤＣＩフォーマットに含まれた組み合わせインデックスは
【０２０８】
【化１１６】
0005406382.tif 000165
を指示し、端末は、
【０２０９】
【化１１７】
0005406382.tif 000166
の関係から
【０２１０】
【化１１８】
0005406382.tif 000167
が確認できる。
【０２１１】
本方法の場合、ＲＢＧクラスターの終了ＲＢＧを最後のＲＢＧインデックスにも割り当て可能にするために、図１２に示すように、最初のＲＢＧインデックスの前方（低いＲＢＧインデックス方向）に一つの仮想ＲＢＧを追加定義することができる。ここで、仮想ＲＢＧは、実際のリソース割当は不可能であり、単にインデクシングの目的にのみ使用される。
【０２１２】
本方法で、Ｍ個のＲＢＧクラスター割当のための
【化１１８−１】
0005406382.tif 000168
個のインデックスは、それぞれのインデックスが互いに異なるビットでエンコーディングされたり、クラスター別に互いに異なるビットでエンコーディングされたり、または、リソース割当に使用されるビット数を減らすために、全てのクラスターの全てのインデックスが共にジョイントエンコーディングされたりすることができる。また、上述したように、本方法で、Ｍ個のＲＢＧクラスターを区別するための
【０２１３】
【化１１９】
0005406382.tif 000169
個のインデックスは、互いに重複しない組み合わせのみ選択されればよい。便宜上、Ｎ＝ＮＲＢＧとすれば、総ＲＢＧインデックス数は、仮想ＲＢＧも含めてＮ＋１となる。したがって、本方法において、リソース割当に要求されるビット数は、ｃｅｉｌｉｎｇ（ｌｏｇ２（Ｎ＋１Ｃ２Ｍ））となる。
【０２１４】
Ｎ＋１個のＲＢＧインデックスが１〜Ｎ＋１と定義される場合、Ｍ個のＲＢＧクラスターリソース割当をシグナリングするための組み合わせインデックス
【０２１５】
【化１２０】
0005406382.tif 000170
は、数学式４のように表現可能である。また、Ｎ＋１個のＲＢＧインデックスが０〜Ｎと定義される場合、Ｍ個のＲＢＧクラスターリソース割当をシグナリングするための組み合わせインデックス
【０２１６】
【化１２１】
0005406382.tif 000171
は、数学式５のように表現可能である。
【０２１７】
さらに、本方法において、
【０２１８】
【化１２２】
0005406382.tif 000172
は、ｍ番目のＲＢＧクラスターの前方に隣接している非割当ＲＢＧ領域の終了ＲＢＧインデックスと解析できる。
【０２１９】
（方法２：組み合わせインデックスがＲＢＧ境界の組み合わせを指示）
本方法は、ＲＢＧ境界（ｂｏｄｅｒ）インデクシングに基づき、複数の不連続的なアップリンクリソースセット（例、ＲＢＧクラスター）を割り当てる方法を提示する。便宜上、端末に割り当てられるＲＢＧクラスターの開始ＲＢＧ境界インデックスと終了ＲＢＧ境界インデックスをそれぞれＳＢ、ＥＢとする。ｍ番目のＲＢＧセットの開始ＲＢＧ境界インデックスと終了ＲＢＧ境界インデックスはそれぞれ、ＳＢｍ、ＥＢｍとする。便宜上、２つのＲＢＧクラスターが割り当てられる場合を中心に説明する。この場合、組み合わせインデックスは、
【０２２０】
【化１２３】
0005406382.tif 000173
を指示するのに使用できる。
【０２２１】
図１３Ａ及び図１３Ｂは、方法２によるリソース割当方案を示す図である。
【０２２２】
図１３Ａ及び図１３Ｂを参照すると、本方法は、ＲＢＧ境界インデクシングに基づき、全体ＮＲＢＧ個のＲＢＧのうち、端末に割り当てられるＭ個のＲＢＧクラスターのそれぞれに対して
【０２２３】
【化１２４】
0005406382.tif 000174
（すなわち、開始ＲＢＧ境界インデックスと終了ＲＢＧ境界インデックス）を知らせる。上述したように、ＰＵＳＣＨスケジューリングのためのＤＣＩフォーマットに含まれた組み合わせインデックスは
【０２２４】
【化１２５】
0005406382.tif 000175
を指示し、端末は、
【０２２５】
【化１２６】
0005406382.tif 000176
の関係から
【０２２６】
【化１２７】
0005406382.tif 000177
が確認できる。
【０２２７】
本方法で、Ｍ個のＲＢＧクラスター割当のための２Ｍ（＝
）個のインデックスは、それぞれのインデックスが、互いに異なるビットでエンコーディングされたり、クラスター別に互いに異なるビットでエンコーディングされたり、または、リソース割当に使用されるビット数を減らすために全てのクラスターの全てのインデックスが共にジョイントコーディングされたりすることができる。また、本方法で、Ｍ個のＲＢＧクラスターを区別するための２Ｍ（＝
）個のインデックスは、互いに重複しない組み合わせのみ選択されればよい。便宜上、Ｎ＝ＮＲＢＧとすれば、総ＲＢＧ境界インデックス数はＮ＋１となる。したがって、本方法において、リソース割当に要求されるビット数は、ｃｅｉｌｉｎｇ（ｌｏｇ２（Ｎ＋１Ｃ２Ｍ））となる。
【０２２８】
Ｎ＋１個のＲＢＧ境界インデックスを１〜Ｎ＋１と定義する時、Ｍ個のＲＢＧクラスターリソース割当をシグナリングするための組み合わせインデックス
【０２２９】
【化１２８】
0005406382.tif 000178
【０２３０】
は、下記のように表現可能である。
【０２３１】
【数７】
0005406382.tif 000179
ここで、
【０２３２】
【化１２９】
0005406382.tif 000180
は、ソーティングされた
【０２３３】
【化１３０】
0005406382.tif 000181
個のＲＢＧ境界インデックスを意味する。
【０２３４】
【化１３１】
0005406382.tif 000182
を表す。
【０２３５】
他の方式として、Ｎ＋１個のＲＢＧ境界インデックスを０〜Ｎと定義する時、Ｍ個のＲＢＧクラスターリソース割当をシグナリングするための組み合わせインデックス
【０２３６】
【化１３２】
0005406382.tif 000183
は、下記のように表現可能である。
【０２３７】
【数８】
0005406382.tif 000184
ここで、
【０２３８】
【化１３３】
0005406382.tif 000185
は、ソーティングされた
【０２３９】
【化１３４】
0005406382.tif 000186
個のＲＢＧ境界インデックスを意味する。
【０２４０】
【化１３５】
0005406382.tif 000187
を表す。
【０２４１】
方法２では、ＲＢＧインデクシングではなくＲＢＧ境界インデクシングを用いるとともに、上記の方法１とは違い、追加的な仮想ＲＢＧの定義を必要としない。
【０２４２】
図１４は、本発明の実施例によってアップリンク信号を伝送する例を示す図である。
【０２４３】
図１４を参照すると、端末は、ネットワークノード（例、基地局またはリレー）から、組み合わせインデックスを含むリソース割当情報を受信する（Ｓ１４０２）。リソース割当情報のためのフィールドはＤＣＩに含まれ、ダウンリンク制御チャネル（例、ＰＤＣＣＨ）を通じて受信できる。サブフレームｎで、ＰＵＳＣＨスケジューリングのためのＤＣＩフォーマットを有するＰＤＣＣＨが検出されると、端末は、サブフレームｎ＋４で、ＰＤＣＣＨ情報に基づいてＰＵＳＣＨ伝送のための手順を行う。このために、端末はリソース割当情報を解析する。すなわち、端末は、組み合わせインデックスに対応する
【０２４４】
【化１３６】
0005406382.tif 000188
を獲得し（Ｓ１４０４）、それに対応するリソースセットを確認する。その後、端末は、
【０２４５】
【化１３７】
0005406382.tif 000189
に対応する複数の連続したリソースセット（例、ＲＢＧクラスター）にアップリンク信号をマッピングする（Ｓ１４０６）。同図には、２つのＲＢＧクラスターが割り当てられるという仮定の下に、方法１−１／１−２／２による
【０２４６】
【化１３８】
0005406382.tif 000190
とリソースセットとの関係を示している。アップリンク信号は、ＵＬ−ＳＣＨ（Ｓｈａｒｅｄ  Ｃｈａｎｎｅｌ）データ及び／または制御情報を含む。最終的に、端末は、ネットワークノード（例、基地局またはリレー）から割り当てられたリソースセットを用いてアップリンク伝送を行う（Ｓ１４０８）。アップリンク伝送は、アップリンク共有チャネル（例、ＰＵＳＣＨ）を通じて行うことができる。
【０２４７】
図１５は、本発明に実施例によるリソース割当情報の解析例を示す図である。この例は、ＲＢＧ個数が９であり、２つのリソースセット（例、ＲＢＧクラスター）が割り当てられる場合を取り上げる。それぞれのリソースセットは、連続したリソース（例、ＲＢＧ）で構成される。
【０２４８】
図１５を参照すると、リソース割当情報内の組み合わせインデックス
【０２４９】
【化１３９】
0005406382.tif 000191
が１１７を指示する場合、
【０２５０】
【化１４０】
0005406382.tif 000192
であるから、
【０２５１】
【化１４１】
0005406382.tif 000193
となる。上述の方法１−１によれば、
【０２５２】
【化１４２】
0005406382.tif 000194
であるから、
【０２５３】
【化１４３】
0005406382.tif 000195
と
【０２５４】
【化１４４】
0005406382.tif 000196
になる。したがって、ＲＢＧ＃２とＲＢＧ＃５〜７がアップリンク信号を伝送するのに使用される。
【０２５５】
図示してはいないが、方法１−２と方法２が用いられる場合、アップリンク信号を伝送するのに使用されるＲＢＧは、下記のとおりである。
【０２５６】
【化１４５】
0005406382.tif 000197
以上では不連続的なアップリンクリソース割当を中心に説明した。ＬＴＥ−Ａシステムの場合、連続的なアップリンクリソース割当も不連続的なアップリンクリソース割当も支援できる。これら２通りのリソース割当方式は、同一のＤＣＩフォーマットを通じてシグナリングできる。この場合、実際に適用されるリソース割当タイプは、フラグビットを用いて区別できる。例えば、ＤＬＲＡタイプ０／１のように、ＰＵＳＣＨスケジューリングのためのＤＣＩフォーマットのＲＡヘッダーに１ビットフラグをおき、これを通じて連続的なリソース割当と不連続的なリソース割当を選択的にシグナリングすることが可能である。
【０２５７】
図１６は、本発明の一実施例に適用されうる基地局及び端末を示す図である。図示の基地局−端末のブロック図は、基地局−リレーのブロック図、リレー−端末のブロック図に代替可能である。
【０２５８】
図１６を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成できる。メモリー１１４は、プロセッサ１１２と連結されて、プロセッサ１１２の動作と関連した様々な情報を格納する。ＲＦユニット１１６は、プロセッサ１１２と連結されて、無線信号を送信及び／または受信する。端末１２０は、プロセッサ１２２、メモリー１２４及びＲＦユニット１２６を含む。プロセッサ１２２は、本発明で提案した手順及び／または方法を具現するように構成できる。メモリー１２４は、プロセッサ１２２と連結されて、プロセッサ１２２の動作と関連した様々な情報を格納する。ＲＦユニット１２６は、プロセッサ１２２と連結されて、無線信号を送信及び／または受信する。基地局１１０及び／または端末１１０は、単一アンテナまたは多重アンテナを有することができる。
【０２５９】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０２６０】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、ＮｏｄｅＢ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０２６１】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２６２】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されてよい。メモリユニットは、プロセッサの内部または外部に設けられ、既に公知の様々な手段によりプロセッサとデータを交換することができる。
【０２６３】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０２６４】
本発明は、端末、リレー、基地局などのような無線通信装置に適用可能である。
【図１】
0005406382.tif 000210
【図２】
0005406382.tif 000211
【図３】
0005406382.tif 000212
【図４】
0005406382.tif 000213
【図５】
0005406382.tif 000214
【図６Ａ】
0005406382.tif 000215
【図６Ｂ】
0005406382.tif 000216
【図６Ｃ】
0005406382.tif 000217
【図７Ａ】
0005406382.tif 000218
【図７Ｂ】
0005406382.tif 000219
【図８】
0005406382.tif 000220
【図９】
0005406382.tif 000221
【図１０】
0005406382.tif 000222
【図１１】
0005406382.tif 000223
【図１２】
0005406382.tif 000224
【図１３Ａ】
0005406382.tif 000225
【図１３Ｂ】
0005406382.tif 000226
【図１４】
0005406382.tif 000227
【図１５】
0005406382.tif 000228
【図１６】
0005406382.tif 000229